(57)【要約】【課題】事前ミーティングを確実に行い、管理者は作業状況を見て、管理者と遠隔地の作業現場との間で同一箇所にいるようなバーチャルな現場環境を構築した携帯端末及びＩＰカメラを用いた作業管理システムを提供する。【解決手段】作業現場Ａの作業責任者３のＰＤＡ４とインターネット６を通して送受信する管理者１のＰＣ２と、ＰＣ２と送受信する作業現場Ａの作業責任者３のＰＤＡ４及び作業現場Ａに設置し、ＰＣ２で作業現場Ａを見ることが出来るＩＰカメラ５とから成り、管理者１のＰＣ２から作業の事前ミーティング確認事項を作業責任者３のＰＤＡ４に送信し、ＰＤＡ４ではこれを受信し、作業現場Ａにおいて、作業責任者３のＰＤＡ４に事前ミーティングによる確認事項を入力後、管理者１のＰＣ２に送信し、管理者１は作業現場Ａに設置したＩＰカメラ５によって作業現場Ａの状況を見ることが出来るとともに作業責任者３と管理者１とが相互に通信出来る。【選択図】図１
2010211317.tif 000002
【特許請求の範囲】
【請求項１】
各作業現場の作業者の携帯端末とインターネットを通して送受信する管理者のＰＣと、前記ＰＣと送受信する各作業現場の作業者の携帯端末及び各作業現場に設置し、前記管理者のＰＣで各作業現場を見ることが出来るＩＰカメラとから成り、
前記管理者のＰＣから作業の事前ミーティング確認事項を前記作業現場の作業者の携帯端末に送信し、前記携帯端末ではこれを受信し、
作業現場において、前記作業者の携帯端末に事前ミーティングによる確認事項を入力後、前記管理者のＰＣに送信し、当該管理者は作業現場に設置したＩＰカメラによって当該作業現場の状況を見ることが出来るとともに前記作業者と管理者とが相互に通信出来ることを特徴とする、携帯端末及びＩＰカメラを用いた作業管理システム。
【請求項２】
前記事前ミーティングの確認事項は、少なくとも作業会社名、作業件名、作業内容、機器の点検の有無が含まれていることを特徴とする、前記請求項１に記載の携帯端末及びＩＰカメラを用いた作業管理システム。
【請求項３】
前記携帯端末及びＩＰカメラにはＧＰＳ機能を持たせたことを特徴とする、前記請求項１又は２に記載の携帯端末及びＩＰカメラを用いた作業管理システム。
【請求項４】
前記ＩＰカメラには、スピーカー機能とマイク機能を持たせたことを特徴とする、前記請求項１、２又は３の何れかに記載の携帯端末及びＩＰカメラを用いた作業管理システム。
【請求項５】
前記携帯端末はＰＤＡであることを特徴とする、前記請求項１、２、３又は４の何れかに記載の携帯端末及びＩＰカメラを用いた作業管理システム。
【請求項６】
前記携帯端末における、前記事前ミーティングによる確認事項の入力は画面をタッチすることにより行われることを特徴とする、前記請求項５に記載の携帯端末及びＩＰカメラを用いた作業管理システム。
【発明の詳細な説明】
【技術分野】
【０００１】
この発明は、小規模店舗の高圧受電化工事等、複数の工種を持つ工事を同時期に複数の場所において行う際、これらの工事を安全に行い、かつ施工状況を随時リアルタイムで見ることが出来て、管理者と作業現場の作業者とが双方向で連絡が取れ、管理出来る、携帯端末等を用いた作業管理システムに関するものである。
【背景技術】
【０００２】
従来の工事管理システムにおいても、管理者側の管理サーバー上に多数の作業現場に関する工事工程予定、工事進捗状況表等を設け、インターネットを介して工事関係者は携帯端末（例えば、携帯電話等を言う）によって上記管理サーバー上の上記表等を閲覧及び書き込みが出来て双方向の情報交換が出来ると言うものがある。
【０００３】
また、別の建設現場安全管理システムにおいては、本部は、ＧＰＳ情報送信機能と携帯電話機能を持つＰＣ端末を保有し、各業者の現場監督は、ＧＰＳ情報送信機能と携帯電話機能を持つＰＤＡ端末を保有し、現場監督に属する作業者は、ＧＰＳ情報送信端末を持つ携帯電話端末を保有し、これらのＰＣ端末、ＰＤＡ端末及び携帯電話端末をインターネットを介してネットワーク構築し、本部は、当該ネットワークを利用して、建設現場に関係する全業者のスケジュールを統括して管理すると言うものがある。
【特許文献１】特開２００６−３３１０２１号公報
【特許文献２】特開２００５−２９３３２９号公報
【発明の開示】
【発明が解決しようとする課題】
【０００４】
しかしながら、前記前者の工事管理システムでは工事の工程等を管理出来、また、前記後者の建設現場安全管理システムでは、本部がＰＣ端末により、建設現場の作業員のスケジュールを個別に管理すると言うものであるが、作業現場を安全、かつ無駄や無理無く、円滑に運営していくには、これらだけでは不充分である。例えば、作業現場における事故の原因は作業よりも事前のミーティングにおける確認不足があげられる。また、事前のミーティングで作業手順等を確認しておけば無駄や無理も多くが解消される。
【０００５】
作業現場では、作業に取り掛かる前に、ＴＢＭ（Tool Box Meeting（作業打ち合わせ）、以下「ＴＢＭ」と言う）と呼ばれるミーティングを行い、その日の作業の内容や手順、また、問題点、安全事項等を話し合い、確認することになっている。しかし、このＴＢＭが行われていなかったり、また、行われていても内容が不充分な場合がある。また、これを遠く離れた場所から工事管理者がチェックすることは困難である。
【０００６】
さらに、前記前者の工事管理システムで双方向の情報交換が出来ると言っても、あくまでも、工事工程予定、工事進捗状況表等上における文字によるものであって、実際に、作業現場を見て情報交換すると言うものではない。また、前記後者の建設現場安全管理システムにおいては、現場監督又は作業者に、ＧＰＳ情報送信機能を有するＰＤＡや携帯電話端末を持たせているが、本部のＰＣ端末で位置を見ているだけであり、作業内容を見ているわけではない。
また、前者、後者とも工事管理者側で、前記ＴＢＭの内容を全て把握することは困難である。
【０００７】
この発明は、これらの点に鑑みて為されたもので、作業現場から管理者へ安全状況をアップロードで報告して、必要な内容のＴＢＭを確実に行い、かつ、管理者は作業状況をリアルタイムで見て、双方で情報交換が出来る、管理者と遠隔地にある作業現場との間で同一箇所にいるようなバーチャルな現場環境を構築した、携帯端末及びＩＰ（Internet Protocol、以下同じ）カメラを用いた作業管理システムを提供して前記課題を解決するものである。
【課題を解決するための手段】
【０００８】
請求項１の発明は、各作業現場の作業者の携帯端末とインターネットを通して送受信する管理者のＰＣと、前記ＰＣと送受信する各作業現場の作業者の携帯端末及び各作業現場に設置し、前記管理者のＰCで各作業現場を見ることが出来るＩＰカメラとから成り、前記管理者のＰＣから作業の事前ミーティング確認事項を前記作業現場の作業者の携帯端末に送信し、前記携帯端末ではこれを受信し、作業現場において、前記作業者の携帯端末に事前ミーティングによる確認事項を入力後、前記管理者のＰＣに送信し、当該管理者は作業現場に設置したＩＰカメラによって当該作業現場の状況を見ることが出来るとともに前記作業者と管理者とが相互に通信出来る携帯端末及びＩＰカメラを用いた作業管理システムとした。
【０００９】
請求項２の発明は、前記事前ミーティングの確認事項は、少なくとも作業会社名、作業件名、作業内容、機器の点検の有無が含まれている前記請求項１に記載の携帯端末及びＩＰカメラを用いた作業管理システムとした。
【００１０】
請求項３の発明は、前記携帯端末及びＩＰカメラにはＧＰＳ機能を持たせた前記請求項１又は２に記載の携帯端末及びＩＰカメラを用いた作業管理システムとした。
【００１１】
請求項４の発明は、前記ＩＰカメラには、スピーカー機能とマイク機能を持たせた前記請求項１、２又は３の何れかに記載の携帯端末及びＩＰカメラを用いた作業管理システムとした。
【００１２】
請求項５の発明は、前記携帯端末はＰＤＡであることを特徴とする、前記請求項１、２、３又は４の何れかに記載の携帯端末及びＩＰカメラを用いた作業管理システムとした。
【００１３】
請求項６の発明は、前記携帯端末における、前記事前ミーティングによる確認事項の入力は画面をタッチすることにより行われる前記請求項５に記載の携帯端末及びＩＰカメラを用いた作業管理システムとした。
【発明の効果】
【００１４】
請求項１、２の各発明によれば、作業管理者の管理のもとで、作業現場において、安全管理上、最も大切なものの一つである作業の事前ミーティングを必要な内容で確実に行え、作業現場の安全性の向上に大きく貢献するものである。また、作業者が管理者に送信した事前ミーティングによる確認事項はデータとして残るものであり、いつでも必要な時に見ることが出来る。また、これにより、内容の再度確認検討を行うことにより、作業現場におけるさらなる安全性の向上にも寄与するものである。
【００１５】
また、管理者は作業現場に設置したＩＰカメラによって作業現場の状況をいつでも見ることが出来るので、管理者は実際の作業の様子を見て、前記事前ミーティングの報告において確認した内容が実際に行われているか否かを確認することが出来るので、さらなる安全性の向上につながるものである。これにより、複数の作業現場を同時に管理出来るものである。
【００１６】
請求項３の発明によれば、前記携帯端末及びＩＰカメラにはＧＰＳ機能を持たせたので、作業現場及び作業者の位置をいつでも確認することが出来、作業現場からの送信か否か判断することが出来、作業現場を実際に確認した上での事前ミーティングの実施の推進に寄与するものである。
【００１７】
請求項４の発明によれば、前記ＩＰカメラには、スピーカー機能とマイク機能を持たせたので、管理者及び作業者の双方で会話が出来、容易に情報を確認、共有することが出来るので、さらなる安全性の向上につながるものである。
【００１８】
請求項５の発明によれば、前記携帯端末はＰＤＡ（PersonalDigital Assistant等、以下同じ）であることとしたので、携帯出来るものでありながら、携帯電話以上の大きな情報の取り扱いが出来、作業者にとっても、操作し易く、事前ミーティングの確認、報告がより簡単に実施出来、事前ミーティングの確実な実施に貢献するものである。
【００１９】
請求項６の発明によれば、前記携帯端末における、前記事前ミーティングによる確認事項の入力は画面をタッチすることにより行われることとしたので、多忙で煩雑な状況が予想される作業現場においても、事前ミーティングをより簡単、かつ確実に実施することが出来、さらなる安全性の向上に貢献出来るものである。
【発明を実施するための最良の形態】
【００２０】
各作業現場の作業者、特に作業責任者の携帯端末とインターネットを通して送受信する管理者のＰＣと、前記ＰＣと送受信する各作業現場の作業責任者の携帯端末及び各作業現場に設置し、前記管理者のＰＣで各作業現場を見ることが出来るＩＰカメラとから成り、前記ＰＣから工事作業の事前ミーティング確認事項を前記作業現場の作業責任者の携帯端末に送信し、前記携帯端末ではこれを受信し、作業現場において、前記携帯端末にミーティングによる確認事項を入力後、前記管理者のＰＣに送信し、当該管理者は作業現場に設置したＩＰカメラによって当該作業現場の状況を見ることが出来るとともに作業責任者等の作業者と管理者とが相互に会話出来る。
【００２１】
これにより、工事の作業現場において、安全管理上、最も大切なものの一つである事前ミーティングを必要な内容で確実に行え、作業現場の安全性の向上に大きく貢献するものである。
【実施例１】
【００２２】
以下、この発明の実施例を図に基づいて説明する。
図１は、この発明の実施例の工事管理システムの概略図である。この発明の実施例の工事管理システムは、管理者１のＰＣ（Personal Computer、以下同じ）２、作業現場Ａの作業者（ここでは、いわゆる施工会社の監督とし、以下「作業責任者」と言う）３が所持するＰＤＡ４、当該作業現場Ａに、作業責任者３によって、作業当日に設置されたＩＰカメラ５によって構成される。これらは、全てインターネット６によって通信可能となっている。
【００２３】
前記ＰＤＡ４及びＩＰカメラ５には、ＧＰＳ（Global Positioning System）機能を持たせている。また、前記ＩＰカメラ５には、スピーカー機能とマイク機能を持たせており、このＩＰカメラ５によって、管理者１は自身のＰＣ２において、常時作業現場Ａの内容を見ることが出来るようになっている。また、管理者１はＰＣ２に予め設けたマイク機能によって、前記ＩＰカメラ５のスピーカー機能及びマイク機能によって、作業責任者３と会話が出来るようになっている。もちろん前記ＰＤＡ４を使っても会話出来る。
【００２４】
図２は、この発明の実施例における管理者と作業責任者、作業者のやり取り、及び作業手順のフローを示す図である。以下、図２のフローに沿って説明する。
【００２５】
まず、最初に、管理者１は工程表を作成し（図２、Ｋ１）、また、ＰＣ２により、今回、作業を行う各施工会社に向けて作業指示書をメールにて送信する（Ｋ２）。作業指示書の作成は定型作業指示を簡素化したシステムを導入し、複数の施工会社に向けて配信する。当該作業指示書を受け取った施工会社は、作業前日又は当日に、今回の作業責任者３と打ち合わせを行い、作業指示を行う（Ｋ３）。現場に出向した作業責任者３及び作業者は、前記作業指示書及び打ち合わせ内容を基に作業現場の状況を見て、当該作業における安全注意点等を確認する。これらの安全注意点等を基に作業責任者３及び作業者はＴＢＭを実施する（Ｋ４）。そして、作業責任者３はＰＤＡ４にて前記ＴＢＭの確認事項を、管理者の確認印押印欄を設けたメールで当該管理者１へ送る。管理者１は作業現場の安全注意点を確認し、当該メールをプリントアウトして前記確認印押印欄に押印し、再度指示を行う。作業責任者３は、その後、作業危険個所対策を実施し（Ｋ５）、作業を始める（Ｋ６）。
【００２６】
管理者１は実際の作業の様子を前記ＩＰカメラ５で見て、前記ＴＢＭ報告において確認した内容が実際に行われているか否かを確認することが出来る（Ｋ７）。また、管理者１は、前記ＩＰカメラ５を見ていて、不具合箇所等が見られ、確認、指示又は声掛け等が必要な状態になった場合、いつでも自身のＰＣ２に設けられたマイクを通して、前記ＩＰカメラ５に設けられたスピーカーを通して、又は前記ＰＤＡ４を介して確認、指示又は声掛け等をすることが出来る。また、管理者１は危険区分作業時間を把握することにより、当該作業前に予め設けたアラーム機能により、自身のＰＣ２の操作により作業責任者３のＰＤＡ４又はＩＰカメラ５を通してアラームを鳴らして作業者に注意を喚起することも出来る。また、作業が終了した後には、当該作業内容の確認を行う（Ｋ８）。これは、作業現場Ａにおいて、作業責任者３又は作業者が実施した作業結果が適正か否かをチェックし、これを管理者１と確認し合う。
【００２７】
一方、作業現場Ａにおいて、現場相違等確認事項があった場合、作業責任者３の方から、前記ＰＤＡ４又はＩＰカメラ５に設けられたマイクを通して報告、又は別途設けた転送カメラシステムにより該当箇所の写真を送付して管理者１に伝え、前記ＰＤＡ４により作業内容の確認や新たに指示を受けることも出来る。
【００２８】
この様にして、複数の作業現場においてＴＢＭを必要な内容で確実に実施することが出来、また、実施されたＴＢＭを管理者１と作業者３の双方で確認出来、管理者１は遠隔地から当該作業現場Ａの状況を見て、双方で会話を行うことにより、安全で、かつ無駄無理の無い複数の工事の管理を同時に、円滑、かつ効果的に行えるものである。
【００２９】
また、工事が完了した後には、作業責任者３は自身のＰＤＡ４で、別途設けられた進捗状況管理システムに作業終了報告を行い（Ｋ９）、データセンターＷＥＢ工程表に作業完了を表示する。さらに、作業責任者３は、自社に帰った後、管理者１からメールで送信された指示書に今回の作業内容を記載し、担当者又は上司に提出する。当該担当者らは、内容を確認した後、前記管理者１に当該指示書を提出する（Ｋ１０）。
【００３０】
図３〜５は、この発明の実施例において、前記図２に基づいた作業手順における作業現場のＴＢＭ実施（Ｋ４）の具体例を示し、作業責任者がＰＤＡを使って、ＴＢＭの確認事項を入力し、管理者へ報告するまでのフローを示す図である。
【００３１】
また、図６から図２２は、この発明の実施例において、作業責任者が、ＰＤＡを使ってＴＢＭの確認事項を入力し、管理者のＰＣに送信する手順を示す図である。
【００３２】
作業責任者３は、図６に示すように、ＰＤＡ４の受信メールＢＯＸを開き、管理者１からのメールを開ける。そして、画面上に表示されたＵＲＬ７をスタイラスペン（図示省略）でタッチする。このＵＲＬ７には、予めソフトウエアによって作成されたＴＢＭのフローが組み込まれており、これを受け取る（図３、Ｓ１）。まず、図７に示す画面が現れる。この画面には「業者パスワードを入力して下さい。」と記載されている。各工事業者には、予め施工会社毎にパスワードが決められている。作業責任者３は画面上のナンバー８をスタイラスペンでタッチして自社のパスワードを入力した後、「送信」９をタッチする（同Ｓ２）。
【００３３】
入力したパスワードが正しければ、図８に示すＴＢＭ開始の画面へと進む（同Ｓ３）。入力したパスワードが正しくなければＴＢＭを開始出来ない（同Ｓ４）。図８の画面では、「企業名  みらい電気  ＴＢＭ−ＲＫＹを始めます（ここでは、ＴＢＭの内容をより明確にするために「ＴＢＭ−ＲＫＹ（ＲＫＹは『リスク危険予知』を表す）」と表示）。  工事名を選択して下さい。工事名  ○店舗高圧受電化工事  ○店舗電化厨房工事  ○イベント仮設電源工事」と表示されている。ここでは「店舗高圧受電化工事」１０をタッチして工事名を選択し、「送信」１１をタッチする（同Ｓ５）。
【００３４】
すると、図９に示す画面へと進む。この画面では、「企業名  みらい電気  工事名  店舗高圧受電化工事  作業内容を選択して下さい。  作業内容  ○Ｃｕｂ基礎  ○Ｃｕｂ設置  ○建柱  ○電源切替」と表示されている。実際には該当する作業を全てタッチするが、ここでは「Ｃｕｂ基礎」１２をタッチして作業内容を選択し、「送信」１３をタッチする（同Ｓ６）。この時、先ほど行った前記図８における選択が誤っていることに気がつけば「戻る」１４をタッチして（同Ｓ７）工事名を入力し直す。
【００３５】
そして、前記図９の作業が誤り無く進むと、図１０に示す画面へと進む。この画面では、「企業名  みらい電気  工事名  店舗高圧受電化工事  作業内容  Ｃｕｂ基礎  作業時間を選択して下さい。  作業時間  開始００（時）００（分）終了００（時）００（分）」と表示されている。該当する作業の開始時刻及び終了時刻をプルダウンメニュー１５をタッチして特定し、「送信」１６をタッチする（同Ｓ８）。
【００３６】
前記作業時間の入力が終わると、図１１に示す画面へと進む。この画面では、「企業名  みらい電気  工事名  店舗高圧受電化工事  作業内容  Ｃｕｂ基礎  作業時間  ０８：００〜１６：３０  責任者（作業責任者を示す）を選択して下さい。  責任者  ○監督一郎  ○監督二郎  ○その他監督（図１１においては「○その他監督」の項目を省略して表示していない）」と表示されている（同Ｓ９）。そこで、本日の作業責任者「監督一郎」１７をタッチして選択し、「送信」１８をタッチする（図４、Ｓ１０）。もし、ここで、作業責任者（監督）の名前が無い場合は「その他監督（図示省略）」をタッチし、「送信」１８をタッチする（同Ｓ１１）。
【００３７】
そして、図１２に示す画面へと進む。この画面では、「企業名  みらい電気  工事名  店舗高圧受電化工事  作業内容  Ｃｕｂ基礎  作業時間  ０８：００〜１６：３０  責任者  監督一郎  作業者を選択して下さい。□現場一郎  □現場二郎  □現場三郎  □現場四郎  □現場五郎  □現場六郎  □その他１  □その他２  □その他３  □その他４  □その他５」と表示されている（同Ｓ１２）。ここでは、本日の作業者を明らかにする。本日の作業者「現場二郎」１９及び「  現場三郎」１９をタッチして選択し、「送信」をタッチする（同Ｓ１３）。今回の作業に従事することが予定される作業者の名前は事前に管理者に伝えておく。もし、ここで、該当する作業者の名前が無い場合は「その他１」２０等を人数分タッチし、「送信」をタッチする（同Ｓ１４）。
【００３８】
すると、図１３に示す画面へと進む。この画面では、「企業名  みらい電気  工事名  店舗高圧受電化工事  作業内容  Ｃｕｂ基礎  作業時間  ０８：００〜１６：３０  責任者  監督一郎  作業者  現場二郎  現場三郎」と表示されている（同Ｓ１５）。ここで、これらの入力内容に誤りが無ければ「一般確認事項へ」２１をタッチする（同Ｓ１６）。誤りがあれば「もどる」２１ａをタッチし（同Ｓ１７）、各選択に戻る。
【００３９】
前記図１３の画面における「一般確認事項へ」２１をタッチし（Ｓ１６）、図１４に示す画面へと進む。ここからは５つ質問（確認）事項が続く。この画面では、「（１／５）作業者の健康状態は全員良い。万一不具合者がいた場合は管理者の指示を仰ぐ事  ○はい  ○いいえ」と表示されており（同Ｓ１８）、ここでは「はい」２２を選択し、「つぎへ」２３をタッチする。
【００４０】
すると、図１５に示す画面へと進む。この画面では「（２／５）作業者の服装はよい。（ネックレス・指輪等の無着装徹底）  ○はい  ○いいえ」と表示されており（同Ｓ１９）、ここでは「はい」２４を選択し、「つぎへ」２５をタッチする。前記ネックレス等首の回りに装着するものは、作業機械等に巻き込まれ作業者の首を締める恐れがあるためであり、またネックレス・指輪等の金属は感電事故を起こす可能性が高くなるためである。
【００４１】
そして、図１６に示す画面へと進む。この画面では「（３／５）検電器、保護具、電動機器の使用前点検を行い、良好だった。  ○はい  ○いいえ」と表示されており（同Ｓ２０）、ここでは「はい」２６を選択し、「つぎへ」２７をタッチする。
【００４２】
すると、図１７に示す画面へと進む。この画面では「（４／５）作業分担の確認、人員の配置は適正か。  ○はい  ○いいえ」と表示されており（図５、Ｓ２１）ここでは「はい」２８を選択し、「つぎへ」２９をタッチする。
【００４３】
そして、図１８に示す画面へと進む。この画面では「（５／５）他職（他の職務の作業者）との取合確認（上下作業、重機旋回範囲内作業禁止の指示）はよいか。  ○はい  ○いいえ」と表示されており（同Ｓ２２）、ここでは「はい」３０を選択し、「安全確認事項へ」３１をタッチする。
【００４４】
すると、図１９に示す画面へと進む。この画面では「本日の危険のポイントを選択して下さい（複数選択可）。  □充電部近接作業  □火気の使用  □高所作業  □重量物取扱（100kg以上）  □重機（クレーン、掘削機）の使用  □マンホールビット内作業」と表示されており（同Ｓ２３）、ここでは「充電部近接作業」３２及び「  高所作業」３３を選択し、「安全確認事項へ」３４をタッチする。
【００４５】
そして、図２０に示す画面へと進む。この画面では、前記図１９における「本日の危険のポイントを選択して下さい」の入力に対する安全確認事項が自動的に表示される。「私達はこうする。  作業区画の明示  充電部保護及び防護状況の確認  安全帯、安全ブロックの使用  足場、高所作業車の使用」と表示されている（同Ｓ２４）。これらの事項を確認し、「確認しました。」３５をタッチする（同Ｓ２５）。
【００４６】
すると、図２１に示す画面へと進む。この画面では「作業主任者を選択して下さい（作業主任者設置が必要な作業が有る場合のみ）。  玉掛  設置不要（必要）      酸素  設置不要（必要）  高所作業車  設置不要（必要）  合図者  設置不要（必要）」と表示されており（同Ｓ２６）、設置必要なもののみ作業主任者を選択し、「送信」３６をタッチする。
【００４７】
すると、図２２に示す画面へと進む。この画面では「みらい電気様  [７：４２  ＴＢＭ−ＲＫＹ完了]  完了報告を受理しました。気をつけて作業に従事して下さい。」と表示されている（同Ｓ２７）。この後、作業責任者３はデジタル署名を行い（図示省略）、このＴＢＭ−ＲＫＹの入力を行ったのが作業責任者本人であることを明らかにする。これで、ＴＢＭ−ＲＫＹ報告が完了したことになる（同Ｓ２７）。この後、自動的にこれらの内容が管理者１のＰＣ２にメールされる。そして、管理者１は前記署名を確認し、また、作業責任者２のＰＤＡ４の位置を前記ＧＰＳを使って見て、当該作業責任者３が実際に作業現場Ａから送信したことを確認する。
【００４８】
これによって、管理者１は、作業現場Ａから離れた場所から作業現場Ａにおける作業者のＴＢＭ−ＲＫＹの確認事項をチェックすることが出来る。
【００４９】
前記実施例では、予め作成されたＴＢＭ−ＲＫＹの確認事項として、具体的に記載しているが、ＴＢＭ−ＲＫＹの確認事項としては、この内容に限定するものではなく、ＴＢＭ−ＲＫＹの内容として、その時に最適なものを作成し、使用すればよい。ただし、作業現場Ａにおいて予想される多忙で煩雑な状況等を理解し、出来るだけ簡単な操作で入力し、完了出来る内容のものが望ましい。また、作業責任者３が使用する携帯端末として、ＰＤＡ４を用いたが、管理者１からのメールが受信でき、また、ＴＢＭの内容を入力出来、管理者１に送信出来るものであるならば、ＰＤＡに限らず、通常の携帯電話等の携帯端末でも良い。
【００５０】
また、昨今では、高機能の携帯電話、また、この実施例においても用いている通話機能を有するＰＤＡなど、携帯電話とＰＤＡとの間に厳密に区別することが困難な状況になりつつあるとも思われるが、これらは必ずしも厳密に区別するものでは無く、この実施例において効果を奏することが出来る機能を有するものであれば良い。
【００５１】
また、前記ＰＤＡ４、ＩＰカメラ５にＧＰＳ機能、また、当該ＩＰカメラ５にスピーカー機能やマイク機能を持たせているが、必ずしもこれらは必要ではなく、現場及び作業内容によって、夫々最適なものを選択すれば良い。
【００５２】
以上工事における作業管理システムとして説明したが、当システムは高齢者介護等のサービス業一般においても適用できるものである。そして、前記実施例では、作業者の会社を施工会社と記載したが、もちろん、電気工事以外の他の作業の場合もあり、前記特許請求の範囲の請求項２では、他の作業を含む意味で作業会社と記載した。また、同じく請求項２において、作業件名と記載したが、この実施例では電気工事の作業現場のため、工事名とした。
【図面の簡単な説明】
【００５３】
【図１】この発明の実施例の工事管理システムの概略図である。
【図２】この発明の実施例における管理者と作業責任者、作業者のやり取り、及び作業手順のフローを示す図である。
【図３】この発明の実施例におけるＴＢＭ実施の具体例を示すもので、作業責任者がＴＢＭの確認事項を入力し、ＳＴＡＲＴから作業責任者の名前の有無判断までの入力フローを示す図である。
【図４】この発明の実施例におけるＴＢＭ実施の具体例を示すもので、作業責任者が作業責任者選択から機器等の点検の良否判断までの入力フローを示す図である。
【図５】この発明の実施例におけるＴＢＭ実施の具体例を示すもので、作業責任者が作業分担等の良否判断からＴＢＭ完了までの入力フローを示す図である。
【図６】この発明の実施例において、作業責任者が、最初に、ＰＤＡの受信メールＢＯＸを開き、管理者からのメールを開けた状態の当該ＰＤＡの画面を示す図である。
【図７】この発明の実施例において、作業責任者が、ＰＤＡの画面上で自社のパスワードを入力するときの図である。
【図８】この発明の実施例において、作業責任者が、ＰＤＡの画面上で工事名を入力するときの図である。
【図９】この発明の実施例において、作業責任者が、ＰＤＡの画面上で作業内容を入力するときの図である。
【図１０】この発明の実施例において、作業責任者が、ＰＤＡの画面上で作業時間を入力するときの図である。
【図１１】この発明の実施例において、作業責任者が、ＰＤＡの画面上で作業責任者を入力するときの図である。
【図１２】この発明の実施例において、作業責任者が、ＰＤＡの画面上で作業者を入力するときの図である。
【図１３】この発明の実施例において、作業責任者が、ＰＤＡの画面上でこれまでの入力内容を確認するときの図である。
【図１４】この発明の実施例において、作業責任者が、ＰＤＡの画面上で最初の確認事項を確認するときの図である。
【図１５】この発明の実施例において、作業責任者が、ＰＤＡの画面上で２番目の確認事項を確認するときの図である。
【図１６】この発明の実施例において、作業責任者が、ＰＤＡの画面上で３番目の確認事項を確認するときの図である。
【図１７】この発明の実施例において、作業責任者が、ＰＤＡの画面上で４番目の確認事項を確認するときの図である。
【図１８】この発明の実施例において、作業責任者が、ＰＤＡの画面上で５番目の確認事項を確認するときの図である。
【図１９】この発明の実施例において、作業責任者が、ＰＤＡの画面上で危険ポイントを選択するときの図である。
【図２０】この発明の実施例において、作業責任者が、ＰＤＡの画面上で前記危険ポイントに対する安全対策を確認するときの図である。
【図２１】この発明の実施例において、作業責任者が、ＰＤＡの画面上で設置が必要な作業主任者を選択するときの図である。
【図２２】この発明の実施例において、作業責任者が、ＰＤＡの画面上でＴＢＭ−ＲＫＹが完了したことを表示した図である。
【符号の説明】
【００５４】
Ａ    作業現場
１    管理者            ２    ＰＣ              ３    作業責任者
４    ＰＤＡ            ５    ＩＰカメラ        ６    インターネット
【図１】
2010211317.tif 000003
【図２】
2010211317.tif 000004
【図３】
2010211317.tif 000005
【図４】
2010211317.tif 000006
【図５】
2010211317.tif 000007
【図６】
2010211317.tif 000008
【図７】
2010211317.tif 000009
【図８】
2010211317.tif 000010
【図９】
2010211317.tif 000011
【図１０】
2010211317.tif 000012
【図１１】
2010211317.tif 000013
【図１２】
2010211317.tif 000014
【図１３】
2010211317.tif 000015
【図１４】
2010211317.tif 000016
【図１５】
2010211317.tif 000017
【図１６】
2010211317.tif 000018
【図１７】
2010211317.tif 000019
【図１８】
2010211317.tif 000020
【図１９】
2010211317.tif 000021
【図２０】
2010211317.tif 000022
【図２１】
2010211317.tif 000023
【図２２】
2010211317.tif 000024